(57)【要約】【課題】歪み補正の処理時間を短縮させる。【解決手段】デジタルカメラ２の撮像レンズ１０に、望遠側での光学歪みを許容する代わりに、広角側での光学歪みを少なくしたもの、あるいは広角側での光学歪みを許容する代わりに、望遠側での光学歪みを少なくしたものを使用する。前者を使用した場合は、望遠側の歪み補正のみを行い、後者の場合は、広角側の歪み補正のみを行う。撮像レンズの小型化、薄型化が可能で、且つ広角側、望遠側のどちらかの歪みを補正するだけで、良好な画像を得ることができる。【選択図】　　　　図１
2004147114.tif 000002
【特許請求の範囲】
【請求項１】
被写体を撮影する撮像手段と、撮影した画像を表示する画像表示手段と、画像データを記憶する記憶手段と、画像データに歪み補正を施す信号処理手段とを備えたデジタルカメラにおいて、
前記撮像手段に、望遠側での光学歪みを許容する代わりに、広角側での光学歪みを少なくした撮像レンズを用いたことを特徴とするデジタルカメラ。
【請求項２】
被写体を撮影する撮像手段と、撮影した画像を表示する画像表示手段と、画像データを記憶する記憶手段と、画像データに歪み補正を施す信号処理手段とを備えたデジタルカメラにおいて、
前記撮像手段に、広角側での光学歪みを許容する代わりに、望遠側での光学歪みを少なくした撮像レンズを用いたことを特徴とするデジタルカメラ。
【請求項３】
前記撮像レンズのズーム比に応じて電気的な歪み補正をする制御手段を設けたことを特徴とする請求項１または２に記載のデジタルカメラ。
【発明の詳細な説明】
【０００１】
【発明の属する技術分野】
本発明は、歪み補正の処理時間を短縮させたデジタルカメラに関する。
【０００２】
【従来の技術】
ＣＣＤイメージセンサなどで撮像した被写体画像をデジタルの画像データに変換し、内部メモリやメモリカードなどの記憶媒体に保存するデジタルカメラが普及している。現在市販されているデジタルカメラには、画像を表示する液晶表示器が設けられており、撮影した画像をその場で鑑賞することができる。
【０００３】
現状、デジタルカメラでは、装置の小型化が重要な課題となっており、この課題を解決するための対策として、例えば小型、且つ薄型の撮像レンズを用いている。しかしながら、このような撮像レンズを用いると、一般的に光学歪みが激しくなり、撮影した画像が、図３（Ａ）に破線で示す格子状の被写体に対して実線で示す樽型（広角側）、あるいは（Ｂ）に示す糸巻型（望遠側）に歪んでしまうという問題が生じる。
【０００４】
上記のような問題に対して、撮影後にパーソナルコンピュータなどの画像処理システムを用いて歪み補正を施す方法（特許文献１参照）や、デジタルカメラ本体で歪み補正を行うもの（特許文献２参照）が提案されている。
【０００５】
【特許文献１】
特開２０００−３４３７号公報
【特許文献２】
特開２００１−５９５６号公報
【０００６】
【発明が解決しようとする課題】
ところで、従来のデジタルカメラでは、広角側の樽型歪み、望遠側の糸巻型歪みの両方に対して歪み補正を施している。このため、歪み補正の処理時間が長くなり、デジタルカメラ本体で歪み補正を行う場合には、近年特に要求されている撮影間隔の短縮を図るうえで障害となる可能性がある。
【０００７】
本発明は、歪み補正の処理時間を短縮させることができるデジタルカメラを提供することを目的とする。
【０００８】
【課題を解決するための手段】
上記目的を達成するために、本発明は、被写体を撮影する撮像手段と、撮影した画像を表示する画像表示手段と、画像データを記憶する記憶手段と、画像データに歪み補正を施す信号処理手段とを備えたデジタルカメラにおいて、前記撮像手段に、望遠側での光学歪みを許容する代わりに、広角側での光学歪みを少なくした撮像レンズを用いたことを特徴とする。
【０００９】
また、本発明は、被写体を撮影する撮像手段と、撮影した画像を表示する画像表示手段と、画像データを記憶する記憶手段と、画像データに歪み補正を施す信号処理手段とを備えたデジタルカメラにおいて、前記撮像手段に、広角側での光学歪みを許容する代わりに、望遠側での光学歪みを少なくした撮像レンズを用いたことを特徴とする。なお、前記撮像レンズのズーム比に応じて電気的な歪み補正をする制御手段を設けることが好ましい。
【００１０】
【発明の実施の形態】
図１に、本発明を実施したデジタルカメラの内部構成の概略を示す。デジタルカメラ２の撮像レンズ１０は、主レンズと、この主レンズの光軸上を移動する移動レンズ（ともに図示せず）とからなるズームレンズである。移動レンズは、望遠側から広角側に例えば１０段階のズーム切替が可能となっている。
【００１１】
撮像レンズ１０の主レンズには、望遠側での光学歪みを許容する代わりに、広角側での光学歪みを少なくしたもの（以下、望遠側歪み許容レンズと記す）、あるいは広角側での光学歪みを許容する代わりに、望遠側での光学歪みを少なくしたもの（以下、広角側歪み許容レンズと記す）が使用される。また、主レンズには、ズーム比に応じた光学歪み量が既知であるものが用いられる。
【００１２】
撮像レンズ１０の背後には、受光面に結像した被写体光を光電変換するＣＣＤイメージセンサ（ＣＣＤ）１１が配置されている。ＣＣＤ１１で撮像したアナログの撮像信号は、Ａ／Ｄ変換器１２でデジタルの画像データに変換される。ＣＣＤ１１は、図示しないレリーズボタンが押下されたときに、メモリカード１３へ記録する画像データの撮り込みを行う。また、この画像データは、液晶表示器（ＬＣＤ）１４にいわゆるスルー画像として表示される。ＬＣＤ１４は、このスルー画像の表示の他に、撮影した画像の再生や各種撮影条件の設定を行う際に用いられる。
【００１３】
システムコントローラ１５は、信号処理回路１６、画像圧縮回路１７などから構成され、操作部（図示せず）からの入力信号に基づいて、デジタルカメラ２の各部を統括的に制御する。このシステムコントローラ１５には、データバス１８を介してＲＡＭ１９およびＲＯＭ２０が接続されている。なお、操作部は、電源ボタン、レリーズボタン、動作モードを切り換えるモード選択ダイヤル、ズーム操作や再生コマの切り換えに使用される十字キーなどの各種操作キーからなる。また、モード選択ダイヤルによって選択される動作モードとしては、撮影を行う撮影モード、撮影画像を再生する再生モード、各種設定を行うセットアップモードなどがある。
【００１４】
ＲＯＭ２０には、各種制御用のプログラムや設定情報などが記録されている。システムコントローラ１５は、これらの情報をＲＯＭ２０から作業用メモリであるＲＡＭ１９に読み出して各種の処理を実行する。なお、ＲＡＭ１９としては、例えばＳＤＲＡＭ（Ｓｙｎｃｈｒｏｎｏｕｓ　Ｄｙｎａｍｉｃ　Ｒａｎｄｏｍ　Ａｃｃｅｓｓ　Ｍｅｍｏｒｙ）が使用される。
【００１５】
Ａ／Ｄ変換器１２によりデジタル化された画像データは、ＲＡＭ１９に一旦記録される。信号処理回路１６は、ＲＡＭ１９に書き込まれた画像データに対して、γ補正、ホワイトバランス補正、シャープネス補正などの各種信号処理を施す。また、信号処理回路１６は、ＲＧＢで表される撮像信号を輝度信号Ｙと色差信号Ｃｒ、Ｃｂとに変換するＹＣ処理を施し、例えば特許文献１に記載される方法を用いて画像データに電気的な歪み補正処理を施す。このとき、撮像レンズ１０の主レンズに望遠側歪み許容レンズを使用した場合は、望遠側の歪み補正のみを行い、広角側歪み許容レンズを使用した場合は、広角側の歪み補正のみを行う。
【００１６】
信号処理回路１６は、撮像レンズ１０のズーム比に応じて電気的な歪み補正を行う。すなわち、撮像レンズ１０の主レンズに望遠側歪み許容レンズを使用した場合は、ズーム比が広角側から望遠側になるにつれて歪み補正パラメータを増加させ、広角側歪み許容レンズを使用した場合は、ズーム比が望遠側から広角側になるにつれて歪み補正パラメータを増加させ、より適切な歪み補正を施す。なお、望遠側歪み許容レンズを使用した場合は、ズーム比が広角側になるにつれて歪みが少なくなり、広角側歪み許容レンズを使用した場合はその逆となるので、望遠側、または広角側のズーム比の数段階を用いて撮影した場合のみ、歪み補正を施すようにしてもよい。
【００１７】
画像圧縮回路１７は、歪み補正処理後の画像データに所定の圧縮形式、例えばＪＰＥＧ形式で圧縮処理を施す。圧縮処理された画像データは、メモリカード１３に記録される。
【００１８】
次に、上記実施形態による作用について、図２のフローチャートを参照して説明する。デジタルカメラ２で被写体を撮影する際には、まず、ＡＥ、ＡＦ制御などの撮影前処理を行い、適正な絞り値および露光時間で被写体画像をＣＣＤ１１に露光する。次に、露光された画像をＡ／Ｄ変換器１２によりデジタル変換してＲＡＭ１９に書き込む。
【００１９】
ＲＡＭ１９に書き込まれた画像データに対して、信号処理回路１６でＹＣ処理を含む各種信号処理を施す。そして、信号処理された画像データに歪み補正処理を施す。撮像レンズ１０の主レンズに望遠側歪み許容レンズを使用した場合は、望遠側の歪み補正のみを行い、広角側歪み許容レンズを使用した場合は、広角側の歪み補正のみを行う。歪み補正処理後の画像データを画像圧縮回路１７で圧縮し、メモリカード１３に記録する。このような構成であると、撮像レンズの小型化、薄型化が可能で、且つ広角側、望遠側のどちらかの歪みを補正するだけで、良好な画像を得ることができる。
【００２０】
【発明の効果】
以上のように、本発明のデジタルカメラによれば、撮像手段に、望遠側での光学歪みを許容する代わりに、広角側での光学歪みを少なくした撮像レンズ、または広角側での光学歪みを許容する代わりに、望遠側での光学歪みを少なくした撮像レンズを用いたので、歪み補正の処理時間を短縮させることができる。
【図面の簡単な説明】
【図１】本発明を実施したデジタルカメラの内部構成の概略を示すブロック図である。
【図２】デジタルカメラの画像処理手順を示すフローチャートである。
【図３】撮像レンズの光学歪みにより撮影画像に歪みが生じた状態を示す図であり、（Ａ）は樽型、（Ｂ）は糸巻型の歪みが生じた状態をそれぞれ示す。
【符号の説明】
２　デジタルカメラ
１０　撮像レンズ
１１　ＣＣＤイメージセンサ（ＣＣＤ）
１３　メモリカード
１４　液晶表示器（ＬＣＤ）
１５　システムコントローラ
１６　信号処理回路
【図１】
2004147114.tif 000003
【図２】
2004147114.tif 000004
【図３】
2004147114.tif 000005